(57)【要約】【課題】他人に覗き見されることなく、秘密にしたい事項を含む文書を読むことができるフィルタを提供することを目的とする。【解決手段】フィルタ１にはスモーク層４によって光透過性が低下されたシート材２が備えられているから、このシート材２によって、他人が情報Ｉを視認し、その内容を理解することが妨げられる。加えて、フィルタ１には視認用模様５が印刷されている。この視認用模様５は非透光性であるため、他人による情報Ｉの視認を妨げる効果を補強する。同時に、視認用模様５はスモーク層４とのコントラストが高く、他人の視線を強く惹きつけるため、情報Ｉから他人の注意を逸らす効果を有する。一方、文書Ｐを近い位置から視認する視認者は、スモーク層４および視認用模様５の隙間から情報Ｉを視認することができる。【選択図】図２
2010085486.tif 000002
【特許請求の範囲】
【請求項１】
情報が記載された文書において前記情報が記載されたページ面に重ねて使用される覗き見防止用フィルタであって、
隠蔽層を備えて半透光性とされたシート材と、前記シート材に設けられて前記フィルタの使用時に視認面から見て前記隠蔽層から区分して視認可能な非透光性の視認用模様とを備える覗き見防止用フィルタ。
【請求項２】
前記視認用模様が線または点により構成されている請求項１に記載の覗き見防止用フィルタ。
【請求項３】
前記シート材が、光透過性を有する基材にスモーク印刷により隠蔽層が形成されたものであって、かつ、光透過率が２０％以上４０％以下である、請求項１または請求項２に記載の覗き見防止用フィルタ。
【請求項４】
前記シート材が、光透過性を有する基材に隠蔽層となる反射膜を設けてハーフミラーとされたものであって、かつ、光透過率が２０％以上４５％以下である、請求項１または請求項２に記載の覗き見防止用フィルタ。
【請求項５】
前記シート材にはこのシート材の透光性を低下させる遮蔽用模様が備えられ、かつ、前記視認用模様が前記フィルタの使用時に視認面から見てこの遮蔽用模様から区分して視認可能なようにされている、請求項１または請求項２に記載の覗き見防止用フィルタ。
【請求項６】
前記遮蔽用模様が前記シート材において視認面とは逆側の面に設けられている請求項５に記載の覗き見防止用フィルタ。
【請求項７】
前記シート材が、光透過性を有する基材にスモーク印刷により隠蔽層が形成されたものであって、かつ、前記遮蔽用模様が施された状態での光透過率が２０％以上４０％以下である、請求項５または請求項６に記載の覗き見防止用フィルタ。
【請求項８】
前記シート材が、光透過性を有する基材に隠蔽層となる反射膜を設けてハーフミラーとされたものであって、かつ、前記遮蔽用模様が施された状態での光透過率が２０％以上４５％以下である、請求項５または請求項６に記載の覗き見防止用フィルタ。
【発明の詳細な説明】
【技術分野】
【０００１】
本発明は、覗き見防止用フィルタに関する。
【背景技術】
【０００２】
近年では、プライバシー保護や秘密保持に対する要請が高まっており、このような要請に応えるため、携帯電話端末やパーソナルコンピュータのディスプレイに貼り付けられて、一定の視野角の外側からはディスプレイに表示された内容を視認できないようにするフィルタが提案されている（特許文献１）。
【特許文献１】特開２００８−０３２９７０公報
【発明の開示】
【発明が解決しようとする課題】
【０００３】
ところで、例えば通勤時間や出張時の移動時間等を活用して仕事用の資料を検討し、時間の有効活用を図りたい場合などにおいて、資料が製本された書類である場合、あるいは重いパーソナルコンピュータを持ち歩くよりも必要な資料のみをプリントアウトして持ち歩く方が好都合な場合等がある。しかし、紙の書類に対する覗き見防止技術は確立されていなかったため、書類が秘密事項を含む場合には、不特定多数の人間が密集する電車内等で読むことができず、不便であった。
【０００４】
本発明は上記のような事情に基づいて完成されたものであって、他人に覗き見されることなく、秘密にしたい事項を含む文書を読むことができるフィルタを提供することを目的とする。
【課題を解決するための手段】
【０００５】
上記の課題を解決するための手段として、本発明の覗き見防止用フィルタは、情報が記載された文書において前記情報が記載されたページ面に重ねて使用される覗き見防止用フィルタであって、隠蔽層を備えて半透光性とされたシート材と、前記シート材に設けられて前記フィルタの使用時に視認面から見て前記隠蔽層から区分して視認可能な非透光性の視認用模様とを備える。
【０００６】
本発明の覗き見防止用フィルタには、さらに、前記シート材の透光性を低下させる遮蔽用模様を備えていてもよい。このとき、視認用模様がフィルタの使用時に視認面から見てこの遮蔽用模様から区分して視認可能なようにされる。遮蔽用模様は、シート材において視認者面とは逆側の面に設けられていることが好ましい。
【発明の効果】
【０００７】
本発明によれば、シート材が半透光性であるため、書類を離れた位置から見る他人からは、このシート材により覆われた情報が見えにくい。加えて、非透光性の視認用模様が設けられているため、情報の視認がさらに妨げられるとともに、隠蔽層に遮られて視えにくい情報と比較して隠蔽層に遮られず視えやすい視認用模様の方に他人の視線がより惹きつけられる。これらの相乗効果により、覗き見防止効果が発揮される。一方、文書を近くから見る視認者は、半透光性のシート材を通して情報を視認することができる。
【発明を実施するための最良の形態】
【０００８】
＜第１実施形態＞
以下、本発明の覗き見防止用フィルタ（以下、「フィルタ」と略記することがある）を具体化した第１実施形態について、図１〜図４を参照しつつ詳細に説明する。
【０００９】
図１には、本実施形態の覗き見防止用フィルタ１を示した。このフィルタ１は、視認者が書籍や書類等（以下「文書Ｐ」という）を見る際に、情報Ｉが記載されたページ面Ｐｓ上に重ねて使用されるものであって、そのページ面Ｐｓ上に表示されている内容を、視認者が他人からは視認されにくいようにしつつ読むためのものである。
【００１０】
このフィルタ１には、矩形のシート材２が備えられている（図２をあわせて参照）。このシート材２は、例えばポリプロピレン等の合成樹脂により無色透明のシート状に形成された基材３と、この基材３の一面側に印刷されたスモーク層４（本発明の隠蔽層に該当する）とを備えている。
【００１１】
スモーク層４は、黒インクによりシート面のほぼ全体に渡って印刷されている。このスモーク層４は、シート材２を半透光性とすることができる、すなわち、基材３の光透過性をある程度低下させるが、完全には光を遮断しない程度の濃さで印刷されていればよい。
【００１２】
シート材２に必要とされる光透過性の程度は、視認の対象となる情報Ｉの大きさや色彩等により異なり一概に限定できないが、例えば白い用紙に黒で印刷された文字や図面、絵柄等を、その用紙を人が手に持って見る程度の近距離から見たときにはシート材２を透かして判別できるが、それ以上に離れた距離から見たときには判別しにくくなる程度であれば良く、より具体的には、光透過率が２０％以上４０％以下であることが好ましい。光透過率は、例えばコニカミノルタ製分光測色計ＣＭ-３５００ｄにより測定できる。
【００１３】
基材３においてスモーク層４が印刷されているのと同一の面には、視認用模様５が非透光性の白インクにより印刷されている。視認用模様５は、文書Ｐを離れた位置から見る他人の目を惹きつけることができるよう、フィルタ１の使用時において、視認面から見てスモーク層４により覆われないようにされている。すなわち、本実施形態のフィルタ１は、基材３においてスモーク層４および視認用模様５の印刷面とは逆側の面（図２の上側面）を表側とするように、言い換えれば、印刷面を文書Ｐのページ面Ｐｓと対向させて重ね、印刷面とは逆側（図２の太矢印方向）から視認するように設計されている。よって、スモーク層４の印刷の際に視認用模様５の印刷位置にマスキングがされ、印刷がされないようにすることで、視認面から見て視認用模様５の上にスモーク層４が重ならないようにされている。これにより、視認用模様５がスモーク層４から区分して視認可能とされている。
【００１４】
この視認用模様５は、例えば電車内において座席や立ち位置が視認者と隣り合わせとなる程度の距離、あるいは座っている視認者を立って見下ろす程度の距離から見てもその形や意味をすぐに把握できるよう、ある程度の大きさを有すること、および、背景となるシート材２に対するコントラストが大きいことが好ましい。特に、フィルタ１をページ面Ｐｓに重ねた状態で、情報Ｉとシート材２との明度差よりも、シート材２と視認用模様５の明度差が大きいようにされていることが好ましい。また、フィルタ１の全体にわたって他人による情報Ｉの視認を妨げるよう、視認用模様５はシート材２のシート面全体にできるだけ均等に分布させることが好ましい。但し、視認者による情報Ｉの視認をできるだけ妨げないよう、視認用模様５は、塗りつぶし面積の大きなものでなく、細い線や点などを主体に構成された図形や絵柄、文字等であることが好ましいが、デザイン上の理由で一部に塗りつぶしがあっても構わない。
【００１５】
基材３において長手方向の両端部には、装飾的な印刷が施された装飾部６が設けられている。本実施形態のフィルタ１は、例えば文書Ｐが書籍Ｐ’である場合、その書籍Ｐ’を読まない際には「しおり」として使用することが可能であり、フィルタ１を書籍Ｐ’に挟んだ際に、装飾部６が書籍Ｐ’の天端から突出して見えるようになっている（図４）。
【００１６】
このフィルタ１を使用して、例えば通勤電車の車内等において秘密情報が記載された文書Ｐを読む際には、視認者は、文書Ｐにおいて隠蔽したい情報Ｉが記載されている部分に、フィルタ１を、スモーク層４および視認用模様５が印刷されている面とは逆側の面を表側に向けて重ねる（図３）。このような状態で、文書Ｐは、視認者の周囲に居合わせる他人の目に触れるものである。しかし、フィルタ１にはスモーク層４によって光透過性が低下されたシート材２が備えられているから、このシート材２によって、他人が情報Ｉを視認し、その内容を理解することが妨げられる。加えて、フィルタ１には視認用模様５が印刷されている。この視認用模様５は非透光性であるため、他人による情報Ｉの視認を妨げる効果を補強する。同時に、視認用模様５はスモーク層４とのコントラストが高く、他人の視線を強く惹きつけるため、情報Ｉから他人の注意を逸らす効果を有する。一方、文書Ｐを近い位置から視認する視認者は、視認用模様５の隙間から情報Ｉを視認することができる。このように、不特定多数の他人が居合わせる空間で秘密情報が記載された文書Ｐを読む場合においても、隠蔽したい情報Ｉを他人から覗き見されることを回避できる。
【００１７】
＜第２実施形態＞
以下、本発明の第２実施形態について、図５を参照しつつ説明する。
【００１８】
本実施形態のフィルタ１０には、シート材１１が備えられている。このシート材１１は、例えばポリプロピレン等の合成樹脂により矩形のシート状に形成されたものである。シート材１１は、着色され、あるいは乳白色とされることにより半透光性となっており、シート材１１の全体が本発明の隠蔽層を構成する。
【００１９】
このシート材１１において、使用時に表側となる面（ページ面Ｐｓとの対向面とは逆側の面）には、視認用模様１２が非透光性の白インクにより印刷されている。視認用模様１２は、第１実施形態のものと同様のものである。
【００２０】
一方、このシート材１１において、使用時に裏側となる面、すなわち視認用模様１２が印刷されている側とは逆側の面には、遮蔽用模様１３が黒インクによりシート面のほぼ全体に渡って印刷されている。遮蔽用模様１３は、シート材１１の光透過性をある程度低下させるが、完全に光を遮断しないよう、小さな隙間が全体にわたって多数分布しているような模様であればよく、小さな点や細い線などにより構成されていることが好ましいが、デザイン上の理由で一部に塗りつぶしがあっても構わない。このような模様の一例としては、例えば網点、メッシュ、縞模様などの小さな繰り返し単位の連続からなる模様、もしくは砂目のような不規則な模様が挙げられる。
なお、本実施形態のように着色され、あるいは乳白色とされることにより半透光性とされたシート材１１と遮蔽用模様１３とを併用した場合には、シート材１１に遮蔽用模様１３か施された状態での光透過率が２０％以上４０％以下であることが好ましい。
【００２１】
本実施形態のフィルタ１０を使用して文書Ｐを読む際には、視認者は、文書Ｐにおいて隠蔽したい情報Ｉが記載されている部分に、フィルタ１０を、視認用模様１２の印刷面を表側に向け、遮蔽用模様１３の印刷面をページ面Ｐｓと対向させて重ね、視認用模様１２の印刷面側（図中太矢印方向）から視認する。ここで、フィルタ１０のシート材１１が半透光性とされていることにより、フィルタ１０を通して他人が情報Ｉを視認し、その内容を理解することが妨げられる。加えて、フィルタ１０には上記実施形態と同様に視認用模様１２が印刷されており、この視認用模様１２によって他人による情報Ｉの視認を妨げる効果が補強される。
【００２２】
さらに、本実施形態のフィルタ１０は、遮蔽用模様１３を備えている。この遮蔽用模様１３は、シート材１１の持つ光透過性をさらに下げる効果を有するとともに、シート材１１の裏面に存在していることによって、シート材１１の裏側を暗くする効果を持ち、他人による情報Ｉの視認を妨げる効果を補強する。一方、文書Ｐを近い位置から視認する視認者は、遮蔽用模様１３および視認用模様１２の隙間から情報Ｉを視認することができる。
【００２３】
なお、本実施形態においては、視認用模様１２がシート材１１の視認面に、遮蔽用模様１３が視認面とは逆側の面に印刷される。このようにすることで、視認面から見た場合に視認用模様５の表層がシート材１１および遮蔽用模様１３によって覆われることがなく、視認用模様５がシート材１１および遮蔽用模様１３から区分して視認可能なようにされている。これにより、他人の目を惹きつけて情報Ｉから注意を逸らすという視認用模様１２の効果が減じられることがないようにされている。
【００２４】
このように、本実施形態においては、遮蔽用模様１３が存在することにより、シート材１１の透過性が下がるから、離れた位置から見る他人からは情報Ｉの視認がいっそう妨げられる。一方、遮蔽用模様１３の隙間は本来のシート材１１の光透過性が保たれているので、近い位置から文書Ｐを視る視認者からは、遠くから見る場合ほど視認性は低下しない。このように、半透過性のシート材１１と遮蔽用模様１３の組み合わせにより、視認者と他人とによる視認性の差をより強めることができる。
【００２５】
＜第３実施形態＞
以下、本発明の第３実施形態について、図６を参照しつつ説明する。
【００２６】
本実施形態のフィルタ２０には、第１のシート材２１が備えられている。このシート材２１は、例えばポリエチレンテレフタレート等の合成樹脂により矩形のシート状に形成された透明の基材２２の一面側に、アルミ等の金属の薄膜による反射膜２３（本発明の隠蔽層に該当する）を設けて、ハーフミラーとしたものである。このシート材２１に必要とされる光透過性の程度は、視認の対象となる情報Ｉの大きさや色彩等により異なり一概に限定できないが、第１実施形態と同様、例えば白い用紙に黒で印刷された文字や図面、絵柄等を、その用紙を人が手に持って見る程度の近距離から見たときにはシート材２１を透かして判別できるが、それ以上に離れた距離から見たときには判別しにくくなる程度であれば良い。より具体的には、シート材２１の光透過率が２０％以上４５％以下であることが好ましい。
なお、このシート材２１の一面側（反射膜２３が設けられている側とは逆側）には、あらかじめ粘着層２４が形成されている。
【００２７】
このシート材２１において粘着層２４が設けられた側の面には、第２のシート材２５が積層されている。第２のシート材２５は、例えばポリプロピレン等の合成樹脂により、第１のシート材２１とほぼ同形に形成された透明シートである。この第２のシート材２５の一面側（第一のシート材２１と対向する側）には、視認用模様２６が白インクにより印刷されている。この視認用模様２６は、第１実施形態と同様のものである。
【００２８】
本実施形態のフィルタ２０を使用して文書Ｐを読む際には、視認者は、文書Ｐにおいて隠蔽したい情報Ｉが記載されている部分に、フィルタ２０を、第２のシート材２５が存在する側を表側に向け、第１のシート材２１が存在する側をページ面Ｐｓと対向させて重ね、第２のシート材２５側（図中太矢印方向）から視認する。本実施形態においても、フィルタ２０には半透光性のシート材２１と視認用模様２６が存在するから、上記実施形態と同様に、隠蔽したい情報Ｉを他人から覗き見されることを回避しつつ文書Ｐを読むことができる。
【００２９】
加えて、第２のシート材２５が、視認用模様２６が施された面を内側に向けて第１のシート材２１と接着されているから、視認用模様２６の保護を図ることができる。
なお、本実施形態においては、視認面側から見て第２のシート材２５−視認用模様２６−第１のシート材２１という順での積層構造となっており、視認用模様２６が第１のシート材２１よりも視認面側に存在している。このようにすることで、視認面から見た場合に視認用模様２６の表層がハーフミラーである第１のシート材２１によって覆われることがなく、視認用模様２６がシート材２１から区分して視認可能なようにされている。これにより、他人の目を惹きつけて情報Ｉから注意を逸らすという視認用模様２６の効果が減じられることがないようにされている。
【００３０】
＜第４実施形態＞
図７には、第４実施形態のフィルタ３０を示す。本実施形態のフィルタ３０には、第１のシート材３１が備えられている。このシート材３１は、第３実施形態と同様に、透明の基材３２の一面側に反射膜３３（隠蔽層）を設けてハーフミラーとしたものである。このシート材３１の一面側（反射膜３３が設けられている側）にはあらかじめ粘着層３４が形成されている。第１のシート材３１において粘着層３４が形成されている側とは逆側の面には、視認用模様３５が白インクにより印刷されている。この視認用模様３５は、第１実施形態と同様のものである。
【００３１】
このシート材３１において粘着層３４が設けられた側の面には、第２のシート材３６が積層されている。第２のシート材３６は、第３実施形態と同様、合成樹脂により第１のシート材３１とほぼ同形に形成された透明シートである。この第２のシート材３６の一面側（第一のシート材３１と対向する側）には、遮蔽用模様３７が黒インクにより印刷されている。この遮蔽用模様３７は、第２実施形態と同様のものである。
なお、本実施形態のようにハーフミラーとされたシート材３６と遮蔽用模様３７とを併用した場合には、シート材３６に遮蔽用模様３７が施された状態での光透過率が２０％以上４５％以下であることが好ましい。このような光透過率を実現できる一例としては、例えば光透過率４０％のハーフミラーであるシート材３６に対し、遮蔽用模様３７として線幅０．２ｍｍ・ピッチ０．７〜０．９ｍｍのストライプを黒インクにより印刷したものが挙げられる。
【００３２】
本実施形態のフィルタ３０を使用して文書Ｐを読む際には、視認者は、文書Ｐにおいて隠蔽したい情報Ｉが記載されている部分に、フィルタ３０を、第１のシート材３１が存在する側（視認用模様３５が印刷されている側）を表側に向け、第２のシート材３６が存在する側をページ面Ｐｓと対向させて重ね、第１のシート材３１側（図中太矢印方向）から視認する。本実施形態においても、フィルタ３０には半透光性のシート材３１と視認用模様３５が存在するから、上記実施形態と同様に、隠蔽したい情報Ｉを他人から覗き見されることを回避しつつ文書Ｐを読むことができる。
【００３３】
また、遮蔽用模様３７が存在することにより、ハーフミラーである第１のシート材３１においてミラーの裏側が暗い状態となるためにミラーの光透過性が下がり、離れた位置から見る他人からはより情報Ｉの視認がされにくくなる。一方、遮蔽用模様３７の隙間は本来のシート材３１の光透過性が保たれているので、近い位置から文書Ｐを視る視認者からは、遠くから見る場合ほど視認性は低下しない。このように、ハーフミラーであるシート材３１と遮蔽用模様３７の組み合わせにより、視認者と他人とによる視認性の差をより強めることができる。
【００３４】
なお、本実施形態においては、視認面側から見て視認用模様３５−第１のシート材３１−遮蔽用模様３７−第２のシート材３６という順での積層構造となっており、視認用模様３５が第１のシート材３１よりも視認面側に存在している。このようにすることで、視認面から見た場合に視認用模様３５の表層が遮蔽用模様３７、およびハーフミラーである第１のシート材３１によって覆われることがなく、視認用模様３５が遮蔽用模様３７およびシート材３１から区分して視認可能なようにされている。これにより、他人の目を惹きつけて情報Ｉから注意を逸らすという視認用模様３５の効果が減じられることがないようにされている。
【００３５】
＜実施例＞
覗き見防止用フィルタに適用されるシート材について、その視認性を確認した。
半透光性のシート材としてハーフミラーフィルム、およびスモーク印刷を施した樹脂フィルムを数種類入手した。これらのシート材に、隠蔽用模様として、線幅とピッチを変化させた格子・ストライプ、または線数と濃度を変化させた網点を黒インクにより印刷し、試験用サンプルとした。
情報として１２ｐｔのテキスト、および１ｐｔ線の図形が印刷された白の印刷用紙に、用意した試験用サンプルを重ね、試験者が３０ｃｍの距離、および６０ｃｍの距離から目視した。３０ｃｍの距離から目視した場合にテキストの内容および図形の形状をストレスなく把握でき、６０ｃｍの距離から目視した場合にはテキストの内容および図形の形状が把握できなかった場合、本発明の覗き見防止用フィルムに好ましく適用できると判断した。
【００３６】
半透光性のシート材としてハーフミラーフィルムを用いた場合には、光透過率２０％〜４０％のシート材に対して、線幅０．１〜０．３ｍｍ・ピッチ０．４〜１．４ｍｍの格子またはストライプを印刷したもの、または線数４０〜６０線、濃度２０〜５０％の網点を印刷したものが好適であった。
【００３７】
また、半透光性のシート材としてスモーク印刷を施した樹脂フィルムを用いた場合、光透過率２０％〜４０％のシート材に対して、線幅０．１〜０．３ｍｍ・ピッチ０．２〜０．７ｍｍの格子またはストライプを印刷したもの、または線数４０〜６０線、濃度４０〜６０％の網点を印刷したものが好適であった。
【００３８】
＜他の実施形態＞
本発明は上記記述及び図面によって説明した実施形態に限定されるものではなく、例えば次のような実施形態も本発明の技術的範囲に含まれる。
【００３９】
（１）第１実施形態において、視認用模様５が基材３においてスモーク層４が印刷された面とは逆側の面に印刷されても構わない。この場合、スモーク層４の印刷の際に視認用模様５の印刷位置にマスキングすることを要しないが、使用時に表側となる面に視認用模様５が、裏側となる面にスモーク層４が印刷される。
【００４０】
（２）第１実施形態において、スモーク層４および視認用模様５の双方が、使用時に表側（書類のページ面と対向する側とは逆側）となる面に印刷されていても構わない。このとき、先にスモーク層４を印刷し、その上に視認用模様５を重ねて印刷する場合は、必ずしもスモーク層４の印刷の際に視認用模様５の印刷位置にマスキングすることを要しない。
【００４１】
（３）半透光性のシート材は必ずしも合成樹脂により形成されたものでなくてもよく、例えばトレーシングペーパーなどのような半透明の紙体であっても構わない。
【００４２】
（４）第１実施形態において、隠蔽層を形成するために施される印刷は、スモーク印刷に限るものではなく、シート材の光透過性を適度に調整できるようなものであればどのようなものであってもよい。具体的には網点、メッシュ、縞模様、砂目などであってもよく、ベタ印刷であっても構わない。
【００４３】
（５）第２実施形態において、視認用模様１２と遮蔽用模様１３とがシート材１１の同一面側に印刷されていても構わない。この場合、フィルタが視認者から視認される側の面において視認用模様１２が遮蔽用模様１３およびシート材１１によって覆われないことを要するから、使用時に表側となる面に印刷が行われる。このとき、先に遮蔽用模様１３を印刷し、その上に視認用模様１２を重ねて印刷する場合は、必ずしも遮蔽用模様１３の印刷の際に視認用模様１２の印刷位置にマスキングすることを要しない。
【００４４】
（６）シート材、隠蔽層および遮蔽用模様と視認用模様の色の組み合わせは必ずしも上記実施形態の限りでなく、例えば隠蔽層が白インクで、視認用模様が黒インクで印刷されていても構わない。あるいは、半透過性のシート材を乳白色のシート材とし、視認用模様を黒インクで印刷しても構わない。また、使用するインクは白インク、黒インクに限るものではなく、カラーのインクを用いても構わない。
【００４５】
（７）第４実施形態において、図８に示すフィルタ４０のように、遮蔽用模様３７を、第２のシート材３６の外側面（第１のシート材３１と対向する側とは逆側の面）に設けても構わない。このような場合は、第１のシート材３１と第２のシート材３６とを接着した後に視認用模様３５および遮蔽用模様３７を印刷することもできる。
【００４６】
（８）上記各実施形態において、視認用模様を必ずしも印刷によって形成する必要はなく、例えば箔押しによって形成することもできる。
【図面の簡単な説明】
【００４７】
【図１】第１実施形態の覗き見防止用フィルタの正面図
【図２】第１実施形態の覗き見防止用フィルタの縦断面図
【図３】第１実施形態の覗き見防止用フィルタの使用状態を示す図−１
【図４】第１実施形態の覗き見防止用フィルタの使用状態を示す図−２
【図５】第２実施形態の覗き見防止用フィルタの縦断面図
【図６】第３実施形態の覗き見防止用フィルタの縦断面図
【図７】第４実施形態の覗き見防止用フィルタの縦断面図
【図８】第４実施形態の変形例の覗き見防止用フィルタの縦断面図
【符号の説明】
【００４８】
１、１０、２０、３０、４０…覗き見防止用フィルタ
２、１１、２１、３１…シート材
４…スモーク層（隠蔽層）
５、１２、２６、３５…視認用模様
１３、３７…遮蔽用模様
２３、３３…反射膜（隠蔽層）
【図１】
2010085486.tif 000003
【図２】
2010085486.tif 000004
【図３】
2010085486.tif 000005
【図４】
2010085486.tif 000006
【図５】
2010085486.tif 000007
【図６】
2010085486.tif 000008
【図７】
2010085486.tif 000009
【図８】
2010085486.tif 000010